(57)【要約】【課題】記録媒体が加熱部材側に湾曲した場合でも、記録媒体が加圧部材側に湾曲した場合でも、湾曲癖を矯正することができる画像形成装置を得る。【解決手段】第一矯正部９０が、加熱部材５４側に湾曲したシート部材Ｐ２と接触してシート部材Ｐ２の湾曲癖を矯正し、第二矯正部１００が、加圧部材６０側に湾曲したシート部材Ｐ１と接触し、シート部材Ｐ１の湾曲癖を矯正する。このように、記録媒体が加熱部材側に湾曲した場合でも、記録媒体が加圧部材側に湾曲した場合でも、湾曲癖が矯正される。【選択図】図１
2018017814.tif 000002
【特許請求の範囲】
【請求項１】
表面に弾性層が形成されている加熱部材と、画像が形成された記録媒体を前記加熱部材側に加圧する加圧部材とを有し、回転する前記加熱部材と前記加圧部材との間で搬送される記録媒体に画像を定着する定着部と、
記録媒体の搬送方向において、前記定着部の下流側に配置され、前記加熱部材側に湾曲した記録媒体と接触し、記録媒体の湾曲癖を矯正する第一矯正部と、
前記搬送方向において、前記第一矯正部の下流側に配置され、前記加圧部材側に湾曲した記録媒体と接触し、記録媒体の湾曲癖を矯正する第二矯正部と、
を備える画像形成装置。
【請求項２】
前記第一矯正部は、前記加熱部材の回転軸方向から見て、記録媒体の搬送経路に対して前記加熱部材側に配置され、
前記第二矯正部は、前記回転軸方向から見て、前記搬送経路に対して前記加圧部材側に配置されている軸部と、搬送される記録媒体によって押され、前記軸部を中心に揺動して前記搬送経路を開放する揺動部と、を備え、
前記加圧部材側に湾曲した記録媒体は、前記第一矯正部と前記揺動部とに接触しながら搬送されることで、湾曲癖が矯正される請求項１に記載の画像形成装置。
【請求項３】
前記第一矯正部は、
前記加熱部材側に湾曲した記録媒体と接触して記録媒体の湾曲癖を矯正し、記録媒体を前記搬送方向の下流側に案内する案内部材と、
前記搬送方向において、前記案内部材の下流側に配置され、搬送される記録媒体に従動して回転する回転部材と、を備える請求項１又は２に記載の画像形成装置。
【請求項４】
前記加熱部材は、回転軸方向に延びる断面円状で、
前記加圧部材は、前記加熱部材の一部に巻き付けられて、前記加熱部材との間で、記録媒体を挟み込む挟持部を形成すると共に周回する無端部材と、前記挟持部の出口部分で前記無端部材を前記加熱部材側に加圧して押し付ける押付部材と、を備える請求項１〜３の何れか１項に記載の画像形成装置。
【発明の詳細な説明】
【技術分野】
【０００１】
本発明は、画像形成装置に関する。
【背景技術】
【０００２】
特許文献１には、第１の定着手段と第２の定着手段とを備えた定着装置に対して用紙搬送方向の下流側に、一対の搬送ローラと、搬送ローラから送り出されている記録材を第１の定着手段側に付勢するガイドとを備えた画像形成装置が記載されている。
【先行技術文献】
【特許文献】
【０００３】
【特許文献１】特開２００６−２３４２７号公報
【発明の概要】
【発明が解決しようとする課題】
【０００４】
本発明の課題は、画像が形成された記録媒体を、加熱部材と加圧部材とで挟み込んで搬送する構成において、記録媒体が加熱部材側に湾曲した場合でも、記録媒体が加圧部材側に湾曲した場合でも、湾曲癖（カール）を矯正することである。
【課題を解決するための手段】
【０００５】
本発明の請求項１に係る画像形成装置は、表面に弾性層が形成されている加熱部材と、画像が形成された記録媒体を前記加熱部材側に加圧する加圧部材とを有し、回転する前記加熱部材と前記加圧部材との間で搬送される記録媒体に画像を定着する定着部と、記録媒体の搬送方向において、前記定着部の下流側に配置され、前記加熱部材側に湾曲した記録媒体と接触し、記録媒体の湾曲癖を矯正する第一矯正部と、前記搬送方向において、前記第一矯正部の下流側に配置され、前記加圧部材側に湾曲した記録媒体と接触し、記録媒体の湾曲癖を矯正する第二矯正部と、を備えることを特徴とする。
【０００６】
本発明の請求項２に係る画像形成装置は、請求項１に記載の画像形成装置において、前記第一矯正部は、前記加熱部材の回転軸方向から見て、記録媒体の搬送経路に対して前記加熱部材側に配置され、前記第二矯正部は、前記回転軸方向から見て、前記搬送経路に対して前記加圧部材側に配置されている軸部と、搬送される記録媒体によって押され、前記軸部を中心に揺動して前記搬送経路を開放する揺動部と、を備え、前記加圧部材側に湾曲した記録媒体は、前記第一矯正部と前記揺動部とに接触しながら搬送されることで、湾曲癖が矯正されることを特徴とする。
【０００７】
本発明の請求項３に係る画像形成装置は、請求項１又は２に記載の画像形成装置において、前記第一矯正部は、前記加熱部材側に湾曲した記録媒体と接触して記録媒体の湾曲癖を矯正し、記録媒体を前記搬送方向の下流側に案内する案内部材と、前記搬送方向において、前記案内部材の下流側に配置され、搬送される記録媒体に従動して回転する回転部材と、を備えることを特徴とする。
【０００８】
本発明の請求項４に係る画像形成装置は、請求項１〜３の何れか１項に記載の画像形成装置において、前記加熱部材は、前記回転軸方向に延びる断面円状で、前記加圧部材は、前記加熱部材の一部に巻き付けられて、前記加熱部材との間で、記録媒体を挟み込む挟持部を形成すると共に周回する無端部材と、前記挟持部の出口部分で前記無端部材を前記加熱部材側に加圧して押し付ける押付部材と、を備えることを特徴とする。
【発明の効果】
【０００９】
本発明の請求項１の画像形成装置によれば、記録媒体が加熱部材側に湾曲した場合でも、記録媒体が加圧部材側に湾曲した場合でも、湾曲癖を矯正することができる。
【００１０】
本発明の請求項２の画像形成装置によれば、記録媒体を記録媒体の幅方向に波打たせて湾曲癖を矯正する矯正部材を複数設ける場合と比して、記録媒体が加熱部材側に湾曲した場合でも、記録媒体が加圧部材側に湾曲した場合でも、湾曲癖を、簡易な構成で矯正することができる。
【００１１】
本発明の請求項３の画像形成装置によれば、回転部材が記録媒体と擦れる場合と比して、記録媒体に形成された画像の損傷を抑制することができる。
【００１２】
本発明の請求項４の画像形成装置によれば、厚紙の記録媒体が加熱部材側に湾曲した場合でも、薄紙の記録媒体が加圧部材側に湾曲した場合でも、湾曲癖を矯正することができる。
【図面の簡単な説明】
【００１３】
【図１】本発明の実施形態に係る画像形成装置に備えられた定着ユニット、及び排出ロール等を示した構成図である。
【図２】（Ａ）（Ｂ）本発明の実施形態に係る定着ユニットを示した構成図である。
【図３】（Ａ）（Ｂ）本発明の実施形態に係る定着ユニットを示した構成図である。
【図４】本発明の実施形態に係る画像形成装置に備えられた定着ユニット、及び排出ロール等を示した構成図である。
【図５】（Ａ）（Ｂ）本発明の実施形態に係る定着ユニットを示した構成図である。
【図６】（Ａ）（Ｂ）本発明の実施形態に係る定着ユニットを示した構成図である。
【図７】本発明の実施形態に係る画像形成装置に備えられた定着ユニット、及び排出ロール等を示した構成図である。
【図８】本発明の実施形態に係る画像形成装置に備えられた定着部材の挟持部を示した断面図である。
【図９】本発明の実施形態に係る画像形成装置の定着部材を示した断面図である。
【図１０】本発明の実施形態に係る画像形成装置の定着部材に備えられたレバー等を示した斜視図である。
【図１１】本発明の実施形態に係る画像形成装置を示した概略構成図である。
【発明を実施するための形態】
【００１４】
本発明の実施形態に係る画像形成装置の一例を図１〜図１１に従って説明する。なお、図中に示す矢印Ｈは装置上下方向（鉛直方向）を示し、矢印Ｗは装置幅方向（水平方向）を示し、矢印Ｄは装置奥行方向（水平方向）を示す。
【００１５】
（全体構成）
図１１に示されるように、本実施形態に係る画像形成装置１０には、上下方向（矢印Ｈ方向）の下方から上方へ向けて、記録媒体の一例としてのシート部材Ｐが収容される収容部１４と、収容部１４に収容されたシート部材Ｐを搬送する搬送部１６と、収容部１４から搬送部１６によって搬送されるシート部材Ｐに画像形成を行う画像形成部２０とが、この順で備えられている。
【００１６】
〔収容部〕
収容部１４には、画像形成装置１０の装置本体１０Ａから装置奥行方向の手前側に引き出し可能な収容部材２６が備えられており、この収容部材２６にシート部材Ｐが積載されている。さらに、収容部材２６には、収容部材２６に積載されたシート部材Ｐを、搬送部１６を構成する搬送経路２８に送り出す送出ロール３０が備えられている。
【００１７】
〔搬送部〕
搬送部１６には、収容部１４から送り出されたシート部材Ｐが搬送される搬送経路２８に沿ってシート部材Ｐを搬送する複数の搬送ロール３２と、画像が形成されたシート部材Ｐを装置本体１０Ａの外部に排出する排出ロール３４とが備えられている。
【００１８】
さらに、搬送部１６には、表面に画像が形成されたシート部材Ｐの裏面に画像を形成する場合に、シート部材Ｐが搬送される反転搬送路５７に沿ってシート部材Ｐを搬送する搬送ロール４８が備えられている。
【００１９】
〔画像形成部〕
画像形成部２０には、ブラック（Ｋ）の画像を形成する画像形成ユニット１８と、画像形成ユニット１８に備えられた像保持体３６に露光光を夫々照射する露光装置４２とが備えられている。
【００２０】
画像形成ユニット１８は、装置本体１０Ａに対して夫々着脱可能とされている。そして、画像形成ユニット１８には、像保持体３６と、像保持体３６の表面を帯電する帯電部材３８とが備えられている。さらに、画像形成ユニット１８には、帯電した像保持体３６に露光装置４２が露光光を照射することで形成された静電潜像を、現像してトナー画像として可視化する現像装置４０が備えられている。さらに、画像形成部２０には、像保持体３６に形成されたトナー画像をシート部材Ｐに転写する転写ロール４６と、トナー画像が転写されたシート部材Ｐを加熱・加圧してトナー画像をシート部材Ｐに定着する定着ユニット５０とが備えられている。さらに、シート部材Ｐの搬送方向（以下「シート搬送方向」）において、定着ユニット５０の下流側には、シート部材Ｐを案内する案内部１２０が備えられている。
【００２１】
なお、定着ユニット５０、案内部１２０については、詳細を後述する。
【００２２】
（画像形成装置の作用）
画像形成装置１０では、次のようにして画像が形成される。
【００２３】
先ず、電圧が印加された帯電部材３８は、像保持体３６の表面を予定の電位で一様にマイナス帯電する。続いて、外部から受け取った画像データに基づいて露光装置４２は、帯電した像保持体３６の表面に露光光を照射して静電潜像を形成する。
【００２４】
これにより、データに対応した静電潜像が像保持体３６の表面に形成される。さらに、現像装置４０は、この静電潜像を現像し、トナー画像として可視化する。
【００２５】
そこで、収容部材２６から送出ロール３０によって搬送経路２８へ送り出されたシート部材Ｐは、像保持体３６と転写ロール４６とが接触する転写位置Ｔへ送り出される。転写位置Ｔでは、シート部材Ｐが像保持体３６と転写ロール４６との間で搬送されることで、像保持体３６の表面のトナー画像は、シート部材Ｐに転写される。
【００２６】
シート部材Ｐに転写されたトナー画像は、定着ユニット５０によってシート部材Ｐに定着される。そして、トナー画像が定着されたシート部材Ｐは、排出ロール３４によって装置本体１０Ａの外部へ排出される。
【００２７】
（要部構成）
次に、定着ユニット５０、及び案内部１２０について説明する。
【００２８】
〔定着ユニット〕
定着ユニット５０は、図１に示されるように、トナー画像をシート部材Ｐに定着する定着部の一例としての定着部材５２と、定着部材５２から排出されている状態のシート部材Ｐの湾曲癖（カール）を矯正する第一矯正部９０、及び第二矯正部１００とを備えている。さらに、定着ユニット５０は、各部を支持する筐体５０Ａを備えている。そして、シート部材Ｐの搬送経路２８は、筐体５０Ａの内部を通過している。
【００２９】
［定着部材］
定着部材５２は、図９に示されるように、加熱部材５４と、加熱部材５４との間で搬送するシート部材Ｐを、加熱部材５４側に加圧する加圧部材６０とを備えている。
【００３０】
加熱部材５４は、装置奥行方向を軸方向とする円筒状で、表面に弾性層５６Ａを有する円筒体５６と、円筒体５６の内部に配置された発熱体５８とを備えている。そして、加熱部材５４は、図示せぬモータから回転力が伝達されて、図中矢印Ｒ１方向（反時計方向）に回転するようになっている。
【００３１】
加圧部材６０は、無端部材の一例としての無端状（環状）の加圧ベルト６２と、加圧ベルト６２の内部に配置されると共に加圧ベルト６２を周回可能（回転可能）に支持する支持機構６４とを備えている。この支持機構６４は、加圧ベルト６２を支持する支持部材７０と、板ばね８０と、Ｌ字状のフレーム６６、６８とを備えている。
【００３２】
加圧ベルト６２は、表面で加熱部材５４に接触し、回転する加熱部材５４に従動して図中矢印Ｒ２方向（時計方向）に回転（周回）するようになっている。
【００３３】
支持部材７０は、樹脂材料で一体的に成形され、装置奥行方向に延びている。そして、支持部材７０は、加圧ベルト６２を弾性層５６Ａに押し付ける押付部７０Ａと、押付部７０Ａに対してシート搬送方向の上流側で、搬送経路２８側に張り出す張出部７０Ｂとを有している。この押付部７０Ａは、押付部材の一例とされている。
【００３４】
また、支持部材７０は、装置奥行方向から見て、押付部７０Ａと張出部７０Ｂとの間で、加圧ベルト６２から離間している凹部７０Ｃを有している。さらに、支持部材７０は、加熱部材５４側とは反対側の部分で、フレーム６６、６８の基端部が挿入される溝７０Ｄ、７０Ｅを有している。
【００３５】
板ばね８０は、装置奥行方向に延び、装置奥行方向から見てＵ字状に形成され、支持部材７０の凹部７０Ｃと、加圧ベルト６２との間に配置されている。そして、板ばね８０は、図示せぬ固定部材で凹部７０Ｃに固定されている。これにより、板ばね８０は、加圧ベルト６２を加熱部材５４側に向けて付勢している。
【００３６】
フレーム６６、６８は、前述したように、Ｌ字状とされ、基端側の部分が支持部材７０の溝７０Ｄ、７０Ｅに挿入されることで、支持部材７０を支持している。そして、フレーム６６、６８の装置奥行方向の両端部は、加圧ベルト６２から突出し、図示せぬ骨格部材に取り付けられている。
【００３７】
これにより、加圧ベルト６２は、加熱部材５４の一部に巻き付けられ、加熱部材５４との間で、シート部材Ｐを挟み込む挟持部Ｎを形成するようになっている。そして、前述した押付部７０Ａは、挟持部Ｎの出口部分で加圧ベルト６２を加熱部材５４側に押し付けるようになっている。さらに、挟持部Ｎでシート部材Ｐを挟持する挟持長さは、加圧部材が円柱状である場合と比して、長くなっている。
【００３８】
この構成において、図８に示されるように、加圧ベルト６２を介して押付部７０Ａによって押し付けられて弾性層５６Ａは、凹んでいる。そして、この凹んだ部分において、シート搬送方向の最下流部（出口部分）には、円弧状に凹む円弧部７２が形成される。そこで、搬送されるシート部材Ｐが薄紙（例えば、坪量６４〔ｇ／ｍ２〕）のシート部材Ｐ（以下「シート部材Ｐ１」）である場合には、シート部材Ｐ１は、この円弧部７２を通過することで、加圧部材６０側に湾曲してしまう（反イメージカール）。
【００３９】
一方、搬送されるシート部材Ｐが厚紙（例えば、坪量２４０〔ｇ／ｍ２〕）のシート部材Ｐ（以下「シート部材Ｐ２」）である場合には、シート部材Ｐ１と比して、曲げ剛性が高い（コシが強い）。このため、シート部材Ｐ２は、円弧部７２を通過しても、加圧部材６０側に湾曲しない。しかし、前述したように、挟持部Ｎでシート部材Ｐを挟持する挟持長さは、加圧部材が円柱状である場合と比して、長くなっている。このため、シート部材Ｐ２は、加熱部材５４の表面に倣って変形し、加熱部材５４側に湾曲してしまう（イメージカール）。
【００４０】
［第一矯正部］
第一矯正部９０は、図１に示されるように、シート搬送方向において、定着部材５２の下流側で、装置奥行方向から見て、搬送経路２８に対して、加熱部材５４側に配置されている。そして、第一矯正部９０は、案内部材９２と、シート部材搬送方向において案内部材９２の下流側に配置されている回転部材の一例としての案内ロール９６とを備えている。
【００４１】
案内部材９２は、板面が装置奥行方向を向き、装置奥行方向に並んでいる、板状の案内板９４を複数備えている。そして、夫々の案内板９４は、搬送されるシート部材Ｐ２と接触する搬送縁９４Ａと、搬送縁９４Ａに対してシート搬送方向の下流側で、後述するレバー１０４の先端部１０４Ｂと接触する接触縁９４Ｂとを有している。
【００４２】
この構成において、案内板９４は、図５（Ａ）、（Ｂ）に示されるように、加熱部材５４側に湾曲したシート部材Ｐ２と、搬送縁９４Ａで接触し、シート部材Ｐ２の湾曲癖を矯正する（湾曲癖を緩和させる）と共にシート部材Ｐ２をシート搬送方向の下流側に案内するようになっている。さらに、案内ロール９６は、図６（Ａ）、（Ｂ）に示されるように、案内部材９２によって案内されるシート部材Ｐ２に従動して回転し、シート部材Ｐ２の先端の方向を変えて、シート部材Ｐ２をシート搬送方向の下流側に案内するようになっている。このように、加熱部材５４側に湾曲したシート部材Ｐ２の湾曲癖は、第一矯正部９０によって、矯正されるようになっている。
【００４３】
［第二矯正部］
第二矯正部１００は、図１に示されるように、シート搬送方向において、第一矯正部９０の下流側に配置されている。そして、第二矯正部１００は、装置奥行方向から見て、搬送経路２８に対して加圧部材６０側に配置されている軸部１０６と、軸部１０６を中心に揺動する揺動部の一例としてのレバー１０４とを備えている。
【００４４】
軸部１０６は、図１０に示されるように、装置奥行方向を軸方向として延びている。また、レバー１０４は、板面が装置奥行方向を向き、装置奥行方向に並んで、複数設けられている。そして、レバー１０４の基端部１０４Ａは、軸部１０６に揺動可能に支持されている。
【００４５】
また、レバー１０４は、図１に示されるように、装置奥行方向から見て、搬送経路２８側に延びている。そして、シート部材Ｐが搬送されていない状態では、レバー１０４の先端部１０４Ｂは、案内板９４に形成された接触縁９４Ｂに接触し、レバー１０４の揺動位置が規制されている。
【００４６】
この構成において、レバー１０４は、図２（Ｂ）、図３（Ａ）、図６（Ａ）、（Ｂ）に示されるように、搬送されるシート部材Ｐに押されて揺動し、搬送経路２８（図１参照）を開放するようになっている。
【００４７】
ここで、薄紙のシート部材Ｐ１によって押されるレバー１０４の開放角度は、図３（Ａ）に示されるように、厚紙のシート部材Ｐ２によって押されるレバー１０４の開放角度（図６（Ｂ）参照）と比して、小さくなる。これは、シート部材Ｐ１の剛性が、シート部材Ｐ２の剛性と比して低いためである。そして、加圧部材６０側に湾曲したシート部材Ｐ１の湾曲癖は、図３（Ａ）、（Ｂ）に示されるように、第一矯正部９０の案内ロール９６と、レバー１０４の先端部１０４Ｂとに接触しながら搬送されることで、矯正されるようになっている。
【００４８】
一方、厚紙のシート部材Ｐ２によって押されるレバー１０４の開放角度は、図６（Ｂ）に示されるように、薄紙シート部材Ｐ１によって押されたときのレバー１０４の開放角度（図３（Ａ）参照）と比して、大きくなる。そして、シート部材Ｐ２は、図６（Ａ）、（Ｂ）に示されるように、薄紙のシート部材Ｐ１の場合と比して、搬送経路２８を大きく開放させて搬送されるようになっている。
【００４９】
このように、シート部材Ｐの搬送経路２８は、薄紙のシート部材Ｐ１と、厚紙のシート部材Ｐとで異なり、図１に示されるように、シート部材Ｐ１は、搬送経路２８Ａに沿って搬送され、シート部材Ｐ２は、搬送経路２８Ｂに沿って搬送されるようになっている。このため、搬送経路２８は、搬送経路２８Ａ、及び搬送経路２８Ｂを含む概念である。
【００５０】
ここで、搬送経路２８Ａは、シート部材Ｐ１の先端側の部分が排出ロール３４に挟持され、シート部材Ｐ１の基端側の部分が定着部材５２に挟持されている状態の、シート部材Ｐ１の姿勢と同義である（図４参照）。また、搬送経路２８Ｂは、シート部材Ｐ２の先端側の部分が排出ロール３４に挟持され、シート部材Ｐ２の基端側の部分が定着部材５２に挟持されている状態の、シート部材Ｐ２の姿勢と同義である（図７参照）。
【００５１】
［その他］
図１、図１０に示されるように、隣り合うレバー１０４とレバー１０４との間には、搬送されるシート部材Ｐを排出ロール３４に向けて案内する複数の案内板１０８が配置されている。
【００５２】
この構成において、案内板１０８は、図７に示されるように、シート部材Ｐ２と接触し、シート部材Ｐ２を排出ロール３４に向けて案内するようになっている。
【００５３】
〔案内部〕
案内部１２０は、図１に示されるように、シート搬送方向において、定着ユニット５０の下流側で、排出ロール３４の上流側に配置されている。また、案内部１２０は、搬送経路２８の上方側に配置されている案内部材１２２と、搬送経路２８を挟んで案内部材１２２の反対側に配置されている案内部材１２４とを備えている。
【００５４】
この構成において、案内部１２０は、定着ユニット５０を通過したシート部材Ｐを排出ロール３４に向けて案内するようになっている。
【００５５】
（作用）
次に、定着ユニット５０等の作用について説明する。
【００５６】
定着ユニット５０等の作用については、薄紙のシート部材Ｐ１が定着部材５２を通過する場合と、厚紙のシート部材Ｐ２が定着部材５２を通過する場合とに分けて説明する。
【００５７】
−薄紙が通過する場合―
定着部材５２は、図２（Ａ）、（Ｂ）に示されるように、回転する加熱部材５４と周回する加圧部材６０の加圧ベルト６２との間で、トナー画像が転写されたシート部材Ｐ１を挟み込んで搬送する。ここで、シート部材Ｐ１は、弾性層５６Ａが円孔状に凹んだ円弧部７２（図８参照）を通過することで、加圧部材６０側に湾曲（カール）する。そして、搬送されるシート部材Ｐ１の先端部が、レバー１０４に接触する。
【００５８】
レバー１０４は、図３（Ａ）に示されるように、搬送されるシート部材Ｐ１によって押され、揺動して搬送経路２８（図１参照）を開放する。そして、図３（Ｂ）に示されるように、加圧部材６０側に湾曲したシート部材Ｐ１は、第一矯正部９０の案内ロール９６と、レバー１０４の先端部１０４Ｂとに接触しながら搬送される。これにより、加圧部材６０側に湾曲したシート部材Ｐ１の湾曲癖は、矯正される。
【００５９】
さらに、案内部１２０は、図４に示されるように、湾曲癖が矯正されたシート部材Ｐ１を、排出ロール３４に向けて案内する。また、排出ロール３４は、シート部材Ｐ１を、装置本体１０Ａの外部に排出する。
【００６０】
−厚紙が通過する場合―
定着部材５２は、図５（Ａ）、（Ｂ）に示されるように、回転する加熱部材５４と周回する加圧部材６０の加圧ベルト６２との間で、トナー画像が転写されたシート部材Ｐ２を挟み込んで搬送する。ここで、挟持部Ｎでシート部材Ｐを挟持する挟持長さは、加圧部材が円柱状である場合と比して、長くなっている（図８参照）。このため、シート部材Ｐ２は、加熱部材５４の表面に倣って変形し、加熱部材５４側に湾曲（カール）する。そして、定着部材５２によって搬送されるシート部材Ｐ１の先端部は、案内板９４の搬送縁９４Ａに接触する。なお、従来のように、加圧部材が円柱状である場合には、シート部材Ｐは、加圧部材６０側に常に湾曲していた。
【００６１】
案内部材９２は、加熱部材５４側に湾曲したシート部材Ｐ２と接触し、シート部材Ｐ２の湾曲癖を矯正すると共にシート部材Ｐ２をシート搬送方向の下流側に案内する。また、案内ロール９６は、図６（Ａ）、（Ｂ）に示されるように、案内部材９２によって案内されるシート部材Ｐ２に従動して回転し、シート部材Ｐ２の先端の方向を変えて、シート部材Ｐ２をシート搬送方向の下流側に案内する。これにより、加熱部材５４側に湾曲したシート部材Ｐ２の湾曲癖は、矯正される。そして、搬送されるシート部材Ｐ２の先端部が、レバー１０４に接触する。レバー１０４は、搬送されるシート部材Ｐ２によって押され、揺動して搬送経路２８（図１参照）を開放する。
【００６２】
第一矯正部９０によって湾曲癖が矯正されたシート部材Ｐ２は、図６（Ａ）、（Ｂ）に示されるように、薄紙のシート部材Ｐ１の場合と比して、搬送経路２８を大きく開放させて搬送される。そして、シート部材Ｐ２は、案内板１０８に接触しながら搬送される。
【００６３】
さらに、案内部１２０は、シート部材Ｐ２を、排出ロール３４に向けて案内する。また、排出ロール３４は、シート部材Ｐ２を、装置本体１０Ａの外部に排出する。
【００６４】
（まとめ）
以上説明したように、画像形成装置１０では、シート部材Ｐが加熱部材５４側に湾曲した場合でも、シート部材Ｐが加圧部材６０側に湾曲した場合でも、湾曲癖が矯正される。
【００６５】
また、シート部材Ｐ１に押されて揺動するレバー１０４の開放角度と、シート部材Ｐ２に押されて揺動するレバー１０４の開放角度とが異なることで、シート部材Ｐ１とシート部材Ｐ２の搬送経路２８が変わるようになっている。このように、搬送経路２８を変えることで、シート部材Ｐをシート部材Ｐの幅方向に波打たせて湾曲癖を矯正する矯正ロールを複数設ける場合と比して、一方側に湾曲した場合でも、他方側に湾曲した場合でも、湾曲癖が、簡易な構成で矯正される。
【００６６】
また、第一矯正部９０は、案内部材９２と、シート搬送方向において、案内部材９２の下流側に配置されている案内ロール９６とを含んで構成されている。そして、搬送されるシート部材Ｐ２に従動して案内ロール９６が回転することで、第一矯正部９０は、シート部材Ｐ２の先端の方向を変え、シート部材Ｐを搬送経路２８Ｂの下流側に送り出すようになっている。ここで、画像が形成されたシート部材Ｐ２の画像面が、案内ロール９６と接触する場合には、案内ロールがシート部材Ｐ２と擦れてしまう場合と比して、シート部材Ｐ２に形成された画像の損傷が抑制される。
【００６７】
また、加圧ベルト６２が加熱部材５４の一部に巻き付けられることで、挟持部Ｎ（図８参照）は、加圧部材が円筒形状の場合と比して長くなる。このため、シート部材Ｐ２が加熱部材５４側に湾曲する。また、シート部材Ｐ１は、円弧部７２を通過することで、加圧部材６０側に湾曲する。このように、薄紙のシート部材Ｐ１が加圧部材６０側に湾曲した場合でも、厚紙のシート部材Ｐ２が加熱部材５４側に湾曲した場合でも、湾曲癖が矯正される。
【００６８】
なお、本発明を特定の実施形態について詳細に説明したが、本発明は係る実施形態に限定されるものではなく、本発明の範囲内にて他の種々の実施形態をとることが可能であることは当業者にとって明らかである。例えば、上記実施形態では、第一矯正部９０、及び第二矯正部１００は、定着ユニット５０に備えられたが、第一矯正部９０が定着ユニット５０以外の部位に備えられてもよく、また、第二矯正部１００が定着ユニット５０以外の部位に備えられてもよい。
【００６９】
また、上記実施形態では、第一矯正部９０は、案内部材９２と、案内ロール９６とを含んで構成されたが、湾曲癖を矯正することができればよく、案内ロール９６を備えなくてもよい。この場合には、案内ロール９６を備えることで生じる作用は、生じない。
【００７０】
また、上記実施形態では、揺動するレバー１０４が備えられたが、シート部材Ｐ１とシート部材Ｐ２とで、開放度合いが変わればよく、揺動とは異なる動きをする部材であってもよい。
【符号の説明】
【００７１】
１０        画像形成装置
２８        搬送経路
２８Ａ      搬送経路
２８Ｂ      搬送経路
５２        定着部材（定着部の一例）
５４        加熱部材
５６Ａ      弾性層
６０        加圧部材
６２        加圧ベルト（無端部材）
７０Ａ      押付部（押付部材の一例）
９０        第一矯正部
９２        案内部材
９６        案内ロール（回転部材の一例）
１００      第二矯正部
１０４      レバー（揺動部の一例）
１０６      軸部
Ｎ          挟持部
Ｐ          シート部材
Ｐ１        シート部材（薄紙）
Ｐ２        シート部材（厚紙）
【図１】
2018017814.tif 000003
【図２】
2018017814.tif 000004
【図３】
2018017814.tif 000005
【図４】
2018017814.tif 000006
【図５】
2018017814.tif 000007
【図６】
2018017814.tif 000008
【図７】
2018017814.tif 000009
【図８】
2018017814.tif 000010
【図９】
2018017814.tif 000011
【図１０】
2018017814.tif 000012
【図１１】
2018017814.tif 000013